(57)【特許請求の範囲】
【請求項１】
電子機器を載置する載置部と、この載置部を所定の高さに支持する脚体部とを備える電子機器用スタンドにおいて、前記載置部に設けることにより当該載置部に載置した電子機器から排出される用紙を下方へガイドする用紙ガイド部と、前記載置部の下方に配することにより前記用紙ガイド部を経た用紙を受け取る用紙トレイ部と、前記電子機器の排出側となる前記載置部の後端部により前記用紙トレイ部の後端部を回動自在に支持する回動支持部，及び前記用紙トレイ部の前端部に回動可能に設け、かつ起立させた際に下端が前記脚体部に設けたトレイ支持部に係止する支柱部と前記用紙トレイ部の上面から上方へ突出する用紙ストッパ部とを有する支持部材を備えることにより、前記用紙トレイ部の大きさ，高さ，傾斜角の一又は二以上を、前記用紙の大きさに対応して変更可能な設定変更機構部とを具備することを特徴とする電子機器用スタンド。
【請求項２】
前記設定変更機構部は、前記用紙トレイ部にスライド可能に設けることにより、当該用紙トレイ部の用紙移動方向前端部から突出し、かつ前後方向に伸縮する補助トレイ部を備えることを特徴とする請求項１記載の電子機器用スタンド。
【請求項３】
前記設定変更機構部は、前記用紙トレイ部に設けたガイドスリットと、前記補助トレイ部の後端部に設けることにより前記ガイドスリットに係合する係合部と、前記脚体部に設けることにより前記補助トレイ部の下面を支持するトレイ支持部とを備えることを特徴とする請求項２記載の電子機器用スタンド。
【請求項４】
前記電子機器は、イメージスキャナであることを特徴とする請求項１記載の電子機器用スタンド。
【発明の詳細な説明】
【０００１】
【発明の属する技術分野】
本発明は、Ａ０サイズ等の大型サイズの用紙を扱うイメージスキャナやプリンタ等に用いて好適な電子機器用スタンドに関する。
【０００２】
【従来技術及び課題】
従来、イメージスキャナ等（電子機器）を載置する専用の電子機器用スタンドは知られている。特に、先端レジタイプの電子機器用スタンドは、イメージスキャナ等を載置する載置部及びこの載置部を支持する脚体部に加えて、載置部の下方に用紙スタッカを備えており、イメージスキャナ等の排紙口から排出される原稿等（用紙）は、そのまま落下して下方の用紙スタッカに収容される。
【０００３】
ところで、この種の電子機器用スタンドに備える用紙スタッカの大きさは、通常、扱うことのできる最大サイズの用紙に合わせている。したがって、最大サイズの用紙であれば、イメージスキャナ等の排紙口から排出される排出途中の用紙は、その先端が用紙スタッカに載った状態で移動し、また、用紙の長さが排紙口から排出された後の落下距離に対して十分に長いため、安定した挙動が得られ、用紙スタッカに対して位置ズレ無く収容できる。しかし、小型サイズの用紙では、落下距離に対する用紙の長さが相対的に短くなることから、落下時における用紙の挙動や落下位置が不安定になり、用紙スタッカ内の用紙に無用な位置ズレを生じやすいとともに、落下時の衝撃が大きくなるため、用紙に折曲等のダメージが生じやすい問題があった。
【０００４】
本発明は、このような従来の技術に存在する課題を解決したものであり、小型サイズから大型サイズの用紙まで安定に落下させ、排紙時における用紙の位置ズレを防止するとともに、落下時の衝撃を排して用紙に対するダメージを回避するようにした電子機器用スタンドの提供を目的とする。
【０００５】
【課題を解決するための手段及び実施の形態】
本発明は、イメージスキャナＭ等の電子機器を載置する載置部２と、この載置部２を所定の高さに支持する脚体部３とを備える電子機器用スタンド１を構成するに際して、載置部２に設けることにより当該載置部２に載置した電子機器から排出される用紙Ｐ…を下方へガイドする用紙ガイド部４と、載置部２の下方に配することにより用紙ガイド部４を経た用紙Ｐ…を受け取る用紙トレイ部５と、電子機器の排出側となる載置部２の後端部により用紙トレイ部５の後端部を回動自在に支持する回動支持部１４ｐ，１４ｑ，及び用紙トレイ部５の前端部に回動可能に設け、かつ起立させた際に下端が脚体部３に設けたトレイ支持部１３に係止する支柱部１６ｐ，１６ｑと用紙トレイ部５の上面から上方へ突出する用紙ストッパ部１７とを有する支持部材１５を備えることにより、用紙トレイ部５の大きさ，高さ，傾斜角の一又は二以上を、用紙Ｐ…の大きさに対応して変更可能な設定変更機構部６とを具備することを特徴とする。
【０００６】
この場合、好適な実施の形態により、設定変更機構部６は、用紙トレイ部５にスライド可能に設けることにより当該用紙トレイ部５の用紙移動方向前端部から突出し、かつ前後方向に伸縮する補助トレイ部１０を備え、具体的には、用紙トレイ部５に設けたガイドスリット１１ｐ，１１ｑと、補助トレイ部１０の後端部に設けることにより当該ガイドスリット１１ｐ，１１ｑに係合する係合部１２ｐ，１２ｑと、脚体部３に設けることにより補助トレイ部１０の下面を支持するトレイ支持部１３とを備えて構成できる。
【０００７】
これにより、載置部２に載置した電子機器から排出される用紙Ｐ…は、載置部２に設けた用紙ガイド部４により下方にガイドされ、用紙Ｐ…は、載置部２の下方に配した用紙トレイ部５に収容されるいわゆる先端レジタイプの電子機器用スタンド１として機能する。一方、設定変更機構部６により、用紙トレイ部５の大きさ，高さ，傾斜角の一又は二以上は、用紙Ｐ…の大きさに対応して変更される。即ち、中型サイズに適合した基本形態に対し、用紙トレイ部５にスライド可能に設けた補助トレイ部１０を当該用紙トレイ部５に対して伸長させれば、用紙トレイ部５の大きさは大きくなるため、大型サイズに適合する第二の形態に設定変更できる。他方、基本形態に対し、用紙トレイ部５の前端部を持ち上げれば、用紙トレイ部５は後端部の回動支持部１４ｐ，１４ｑを支点に回動変位する。したがって、用紙トレイ部５の前端部に回動可能に設けた支持部材１５を起立させ、当該支持部材１５に有する支柱部１６ｐ，１６ｑの下端をトレイ支持部１３に係止させれば、用紙トレイ部５は基本形態に対して高い位置となり、かつ傾斜角は緩やかになるため、小型サイズに適合する第三の形態に設定変更できる。なお、第三の形態では、支持部材１５に有する用紙ストッパ部１６も起立し、用紙Ｐ…を規制するとともに、補助トレイ部１０は後端部に設けた係合部１２ｐ，１２ｑを支点に下方へ回動変位し、かつ補助トレイ部１０の前端部はトレイ支持部１３によって支持される。
【０００８】
【実施例】
次に、本発明に係る好適な実施例を挙げ、図面に基づき詳細に説明する。
【０００９】
まず、本実施例に係る電子機器用スタンド１の構成について、図１〜図５を参照して説明する。
【００１０】
電子機器用スタンド１は、図１に仮想線で示す原稿搬送型イメージスキャナＭ（電子機器）を載置する専用スタンドとして構成する。イメージスキャナＭは、比較的大きい原稿（用紙Ｐ…）、即ち、Ａ１サイズ（中型サイズ）を基本にして、Ａ０サイズ（大型サイズ）及びＡ２サイズ（小型サイズ）、さらに、Ａ２サイズよりも小さいＢ５サイズまで読み取ることができる。
【００１１】
電子機器用スタンド１は、イメージスキャナＭを載置する載置部２と、この載置部２を所定の高さに支持する脚体部３を備える。載置部２は、図５に示すように、複数の上フレーム部３０…により枠組構成し、上面にはイメージスキャナＭの足部Ｍｆ…が挿入する四つの挿入孔３１…を有する。また、脚体部３は、底面にキャスタ３２…を有する左右一対の下フレーム部３３ｐ，３３ｑと、下フレーム部３３ｐと３３ｑを連結する連結フレーム部３３ｍと、下フレーム部３３ｐ，３３ｑと載置部２を連結するサイドフレーム部３４ｐ，３４ｑにより構成する。なお、３５はサイドフレーム部３４ｐの内面に取り付けた小物入れである。
【００１２】
一方、電子機器用スタンド１には、載置部２に載置したイメージスキャナＭから排出される用紙Ｐ…を下方へガイドする用紙ガイド部４を備える。用紙ガイド部４は、図１に示すように、載置部２の後端部に設けた上フレーム部３０の上面に固定した基部４０と、この基部４０に取り付けたガイドプレート４１からなり、イメージスキャナＭの排紙口Ｍｏから排出された用紙Ｐ…は、ガイドプレート４１に当接した後、ガイドプレート４１の角度に沿って載置部２の下方にガイドされる。なお、ガイドプレート４１は基部４０に対して着脱可能であり、例えば、電子機器用スタンド１に載置する電子機器の種類、即ち、電子機器の大きさや高さ等に応じて適切なガイドプレート４１を付け替えることができる。図５はガイドプレート４１を外した基部４０のみを示す。
【００１３】
また、載置部２の下方には、用紙ガイド部４を経た用紙Ｐ…を受け取る用紙トレイ部５を配設する。用紙トレイ部５は、側面視において中間部を逆への字形に折曲し、かつ左右両側には上方へ直角に折曲したサイドプレート部５０ｐ，５０ｑを有する。そして、用紙トレイ部５の後端部は、左右に設けた回動支持部１４ｐ，１４ｑを介して載置部２の後端部に取り付ける。これにより、用紙トレイ部５の前側は回動支持部１４ｐ，１４ｑを支点にして昇降させることができる。
【００１４】
他方、用紙トレイ部５には設定変更機構部６を付設する。まず、用紙トレイ部５の下面には、左右一対のガイド体６０ｐ，６０ｑを固定する。各ガイド体６０ｐ，６０ｑには用紙移動方向に沿ったガイドスリット１１ｐ，１１ｑを有し、このガイドスリット１１ｐ，１１ｑの後端部はＬ形のストッパ部６１ｐ，６１ｑとなる。また、補助トレイ部１０を用意し、補助トレイ部１０の後端部に設けた係合部１２ｐ，１２ｑをガイドスリット１１ｐ，１１ｑに係合させる。この場合、補助トレイ部１０は複数の棒部材Ｂ…を折曲し、かつ組み合わせることにより、用紙Ｐ…を載せることができる形状に形成するとともに、先端は上方に折曲して用紙Ｐ…を規制する用紙ストッパ部１０ｓを形成する。さらに、脚体部３におけるサイドフレーム部３４ｐと３４ｑ間には、トレイ支持部１３を架設する。これにより、補助トレイ部１０は用紙トレイ部５の用紙移動方向前端部から突出し、かつ前後方向へ伸縮させることができるとともに、自然状態では補助トレイ部１０がトレイ支持部１３の上面に載り、用紙トレイ部５及び補助トレイ部１０の高さ及び傾斜角が規制される。
【００１５】
一方、用紙トレイ部５の前端部には支持部材１５を回動自在に設ける。支持部材１５は図２に示すように、シャフト部６２から直角に突出した左右一対の支柱部１６ｐ，１６ｑを有するとともに、支柱部１６ｐ，１６ｑの反対側に突出し、かつ中間部にＪ形に折曲した一対の把持部６４ｐ，６４ｑを形成した用紙ストッパ部１７を有する。そして、支持部材１５は、用紙トレイ部５に設けた回動支持部６５ｐ，６５ｑを介して当該用紙トレイ部５の前端部に回動自在に取り付ける。さらに、トレイ支持部１３の上面には各支柱部１６ｐ，１６ｑの先端（下端）が係止する係止凹部６６ｐ，６６ｑを設けるとともに、把持部６４ｐ，６４ｑを収容する収容凹部６７ｐ，６７ｑを設ける。これにより、支持部材１５を回動変位させ、支柱部１６ｐ，１６ｑを用紙トレイ部５の下面に重ねれば、この状態でトレイ支持部１３の上面に載せることができる。この際、各把持部６４ｐ，６４ｑは図４に示すように、収容凹部６７ｐ，６７ｑに収容されるとともに、図２に示すように、補助トレイ部１０を構成する棒部材Ｂ…間の空間に配される。また、収容凹部６７ｐ，６７ｑに手を入れ、把持部６４ｐ，６４ｑを持ち上げれば、用紙トレイ部５は後端部の回動支持部１４ｐ，１４ｑを支点に上方へ変位させることができるとともに、さらに、把持部６４ｐ，６４ｑを持ちながら、支持部材１５を略９０゜回せば、支柱部１６ｐ，１６ｑの下端を係止凹部６６ｐ，６６ｑに挿入係止させることができる。
【００１６】
次に、本実施例に係る電子機器用スタンド１の使用方法及び各部の機能について、図１〜図５を参照して説明する。
【００１７】
まず、載置部２の上面には図１に示すように、イメージスキャナＭを載置する。この場合、イメージスキャナＭの足部Ｍｆ…は載置部２における四つの挿入孔３１…に挿入し、イメージスキャナＭに対する位置決めが行われる。
【００１８】
また、イメージスキャナＭの使用時には、イメージスキャナＭにより読み取られた原稿（用紙）Ｐ…はイメージスキャナＭの排紙口Ｍｏから排出され、排出された用紙Ｐ…は、載置部２に設けたガイドプレート４１に当接した後、ガイドプレート４１に沿って載置部２の下方へガイドされる。そして、ガイドプレート４１に沿ってガイドされた用紙Ｐ…は、載置部２の下方に配した用紙トレイ部５に収容される。よって、いわゆる先端レジタイプの電子機器用スタンド１として機能する。
【００１９】
一方、設定変更機構部６により、用紙トレイ部５の大きさ，高さ，傾斜角の一又は二以上を用紙Ｐ…の大きさに対応して変更できる。即ち、図１に実線で示す形態は中型サイズ（Ａ１サイズ）の用紙Ｐに適合した基本形態を示すが、この基本形態に対し、図３に示すように、補助トレイ部１０を用紙トレイ部５に対して伸長させれば、用紙トレイ部５の大きさを大きくすることができるため、大型サイズ（Ａ０サイズ）の用紙Ｐに適合する第二の形態に設定変更できる。
【００２０】
他方、図１に示す基本形態に対し、収容凹部６７ｐ，６７ｑに手を入れ、図４に示すように、把持部６４ｐ，６４ｑを持ち上げれば、用紙トレイ部５を後端部の回動支持部１４ｐ，１４ｑを支点に上方へ変位させることができるとともに、支持部材１５を略９０゜回し、支持部材１５を起立させれば、支柱部１６ｐ，１６ｑの下端を係止凹部６６ｐ，６６ｑに挿入係止させることができる。これにより、用紙トレイ部５は基本形態に対して高い位置となり、かつ傾斜角は緩やかになるため、小型サイズ（Ａ２サイズ）の用紙Ｐ或いはＡ２サイズよりも小さいサイズの用紙Ｐに適合する第三の形態に設定変更できる。なお、第三の形態では、支持部材１５に有する用紙ストッパ部１６も起立するため、用紙Ｐ…を規制するストッパとして機能するとともに、補助トレイ部１０は後端部に設けた係合部１２ｐ，１２ｑを支点に下方へ相対的に回動変位し、かつ補助トレイ部１０の前端部はトレイ支持部１３によって支持される。したがって、補助トレイ部１０が邪魔になることはない。
【００２１】
よって、本実施例に係る電子機器用スタンド１によれば、設定変更機構部６により、大型サイズの用紙Ｐを使用する場合には、用紙トレイ部５の大きさを大きくすることができ、また、小型サイズの用紙Ｐを使用する場合には、用紙トレイ部５の高さを高くし、かつ傾斜角を緩やかにすることができるため、小型サイズから大型サイズの用紙Ｐまで安定に落下させることができ、もって、排紙時における用紙の位置ズレを防止できるとともに、落下時の衝撃を排して用紙に対するダメージを回避できるなど、各種サイズの用紙Ｐ…に対するスタック性を飛躍的に高めることができる。
【００２２】
以上、実施例について詳細に説明したが、本発明はこのような実施例に限定されるものではなく、細部の構成，形状，数量，素材等において、本発明の要旨を逸脱しない範囲で任意に変更，追加，削除することができる。例えば、実施例は電子機器として、イメージスキャナＭを例示したが、プリンタやファクシミリ等の各種電子機器に適用できる。
【００２３】
【発明の効果】
このように、本発明に係る電子機器用スタンドは、載置部に設けることにより当該載置部に載置した電子機器から排出される用紙を下方へガイドする用紙ガイド部と、載置部の下方に配することにより用紙ガイド部を経た用紙を受け取る用紙トレイ部と、電子機器の排出側となる載置部の後端部により用紙トレイ部の後端部を回動自在に支持する回動支持部，及び用紙トレイ部の前端部に回動可能に設け、かつ起立させた際に下端が脚体部に設けたトレイ支持部に係止する支柱部と用紙トレイ部の上面から上方へ突出する用紙ストッパ部とを有する支持部材を備えることにより、用紙トレイ部の大きさ，高さ，傾斜角の一又は二以上を、用紙の大きさに対応して変更可能な設定変更機構部とを具備してなるため、小型サイズから大型サイズの用紙まで安定に落下させることができ、もって、排紙時における用紙の位置ズレを防止できるとともに、落下時の衝撃を排して用紙に対するダメージを回避できるなど、各種サイズの用紙に対するスタック性を飛躍的に高めることができるいう顕著な効果を奏する。
【図面の簡単な説明】
【図１】本発明の好適な実施例に係る電子機器用スタンドの一部破断側面図、
【図２】同電子機器用スタンドに備える用紙トレイ部，補助トレイ部，支持部材及びトレイ支持部の底面部、
【図３】同電子機器用スタンドを第二の形態に設定変更した状態を示す要部の一部断面側面図、
【図４】同電子機器用スタンドを第三の形態に設定変更した状態を示す要部の一部断面側面図、
【図５】同電子機器用スタンドの外観斜視図、
【符号の説明】
１    電子機器用スタンド
２    載置部
３    脚体部
４    用紙ガイド部
５    用紙トレイ部
６    設定変更機構部
Ｍ    イメージスキャナ（電子機器）
Ｐ    用紙
１０      補助トレイ部
１１ｐ…  ガイドスリット
１２ｐ…  係合部
１３      トレイ支持部
１４ｐ…  回動支持部
１５      支持部材
１６ｐ…  支柱部
１７      用紙ストッパ部
【図１】
0004582840.tif 000002
【図２】
0004582840.tif 000003
【図３】
0004582840.tif 000004
【図４】
0004582840.tif 000005
【図５】
0004582840.tif 000006